(57)【要約】【課題】両連結片の噛合部、または、ばね部材に頭髪を巻き込まないようにする後付け可能なヘアークリップ用カバーおよびヘアークリップを提供することを課題とする。【解決手段】ヘアークリップ用カバー１０Ａは、ヘアークリップＣの連結片２０ｃ，２１ｃの挟持部２０ａ，２１ａ側に隣接する環状部１１を有し、環状部１１は、連結片２０ｃ，２１ｃが互いに噛み合う部分にある噛合部２４を覆う介在部１１ａを備えるように構成する。【選択図】　図１
2004000470.tif 000002
【特許請求の範囲】
【請求項１】
頭髪を挟持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するばね部材とを備えるヘアークリップに用いられる弾性部材からなるヘアークリップ用カバーであって、
前記連結片の前記挟持部側に隣接する環状部を有し、前記環状部は、前記連結片が互いに噛み合う部分にある噛合部を覆う介在部を備えることを特徴とするヘアークリップ用カバー。
【請求項２】
頭髪を挟持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するばね部材とを備えるヘアークリップに用いられる弾性部材からなるヘアークリップ用カバーであって、
前記連結片の前記挟持部側に隣接する環状部と、前記環状部に連続し、前記把持部に当接して設けられる当接部とを備えることを特徴とするヘアークリップ用カバー。
【請求項３】
前記環状部は、前記連結片が互いに噛み合う部分にある噛合部を覆う介在部を備えることを特徴とする請求項２に記載のヘアークリップ用カバー。
【請求項４】
頭髪を挟持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するばね部材と、前記連結片の前記挟持部側に隣接する弾性部材からなる環状部とを備えることを特徴とするヘアークリップ。
【請求項５】
請求項１乃至請求項３のいずれか１項に記載のヘアークリップ用カバーが設けられたことを特徴とするヘアークリップ。
【請求項６】
頭髪を狭持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するねじりコイルばねと、前記挟持部を開口させたときに前記ねじりコイルばねの露出部分を少なくとも覆うカバー部とを備えることを特徴とするヘアークリップ。
【請求項７】
前記カバー部は、シート状部材を屈曲させて形成され、前記シート状部材の屈曲させた部分で前記ねじりコイルばねの前記露出部分を覆うことを特徴とする請求項６に記載のヘアークリップ。
【請求項８】
前記カバー部は、前記ねじりコイルばねのコイル部分を覆う筒状部材から形成されることを特徴とする請求項６に記載のヘアークリップ。
【発明の詳細な説明】
【０００１】
【発明の属する技術分野】
本発明は、頭髪を挟持するためのヘアークリップに用いられるヘアークリップ用カバーおよびヘアークリップに関し、詳しくは、挟持する際に頭髪を巻き込まないようにするためのヘアークリップ用カバーおよびヘアークリップに関するものである。
【０００２】
【従来の技術】
従来、ヘアークリップは、図８（ａ）〜（ｃ）に示すようなものが知られている。図８（ａ）、（ｂ）、（ｃ）は、従来のヘアークリップの斜視図、背面図、挟持部を開口させた状態を示す斜視図である。
【０００３】
従来のヘアークリップは、頭髪を挟持する挟持部４０ａ，４１ａの後端側に手指で把持する把持部４０ｂ，４１ｂを備え、前記把持部４０ｂ，４１ｂの側面に連結片４０ｃ，４１ｃをそれぞれ有する一対の挟持体４０，４１と、この両挟持体４０，４１を対面させ前記連結片４０ｃ，４１ｃが重なる位置で、その挟持部４０ａ，４１ａを開閉自在に支持する支持部４２と、この支持部４２を回動中心として前記挟持部４０ａ，４１ａが閉口する方向に付勢するねじりコイルばね４３とを備えている。
【０００４】
このヘアークリップは、通常は、ねじりコイルばね４３の閉口する方向への付勢する力により一方の挟持部４０ａと他方の挟持部４１ａが閉じられた状態にある。頭髪を挟持する際には、一方の把持部４０ｂと他方の把持部４１ｂを手指で把持し、ねじりコイルばね４３の付勢力に抗して支持部４２を回動中心として、一方の挟持部４０ａと他方の挟持部４１ａを開く。そして、開口した両挟持部４０ａ，４１ａの間に頭髪を挟んで、両挟持部４０ａ，４０ｂを通常の状態（閉口状態）に戻す。このようにして、ねじりコイルばね４３の付勢力により頭髪を留めることができる。
【０００５】
しかし、このようなヘアークリップには、以下の問題が存在していた。すなわち、頭髪を挟持する際には、両挟持部４０ａ，４１ａを開いて、その連結片４０ｃ，４１ｃに接触するまで頭髪を挟むことが可能であるが、接触するまで頭髪を挟むと、図８（ｃ）に示すように、左右に位置する連結片４０ｃ，４１ｃが互いに噛み合う際に形成される隙間である噛合部４４，４４に頭髪が入り込んだ状態でその両挟持部４０ａ，４１ａが閉じられ、その噛合部４４，４４に頭髪が噛み込まれたり、また、ねじりコイルばね４３に頭髪を巻き込んで、頭髪を傷つけたり、あるいは、引き抜かれるという問題がある。
【０００６】
そこで、たとえば、特許文献１に示すようなヘアークリップが提案されている（図９参照）。このヘアークリップは、連結片４０ｃ，４０ｃに、噛合部４４，４４を覆う毛髪巻き込み防止部４０ｄ，４０ｄを設けている。これによれば、頭髪を狭持する際に、毛髪巻き込み防止部４０ｄ，４０ｄがあるため、噛合部４４への頭髪の巻き込みが防止される。
【０００７】
【特許文献１】
特開２０００−３３３７２１号公報（たとえば、段落番号〔００１９〕、図１参照）
【０００８】
【発明が解決しようとする課題】
しかしながら、特許文献１に示すヘアークリップでは、毛髪巻き込み防止部４０ｄ，４０ｄが連結片４０ｃ，４０ｃと一体に形成されているため、従来のヘアークリップにこの毛髪巻き込み防止部４０ｄ，４０ｄだけを後から取り付けることができなかった。そのため、ヘアークリップの設計変更を伴い、形状の設計自由度が狭まるという問題があった。また、顧客のお気に入りの装飾がされたヘアークリップに頭髪巻き込み防止のための部材を後付けさせたいという要望にもこたえられていないという問題もあった。
さらに、特許文献１に示すヘアークリップでは、噛合部４４，４４に頭髪を巻き込むことは防止できるが、ねじりコイルばね４３に頭髪を巻き込むことを防止できないという問題があった。
【０００９】
また、図８（ｂ）に示すように、ヘアークリップのねじりコイルばね４３は、両把持部４０ｂ，４１ｂの裏面で当接するねじりコイルばね４３のシャフト部４３ａ，４３ｂの位置が、上下で互い違いに配置されていることから、使用頻度が高くなるにつれ、一方の挟持部４０ａと他方の挟持部４１ａが左右方向にずれ易くなるという問題がある。
【００１０】
さらに、ヘアークリップの使用頻度が高くなると、ねじりコイルばね４３のばねの力が弱まり、頭髪がずれ落ち易くなるという問題もある。その他、両把持部４０ｂ，４１ｂは、アルミニウム合金などの材料で平坦に形成されていることも多いため、美容室または理容店などで使用される際に、ムース、スプレー、あるいはパーマ液等を使用した手指でヘアークリップを扱う場合には、摩擦力が小さく、滑りやすいという問題もある。
【００１１】
そこで、本発明は前記問題を解決するためになされたものであり、両連結片の噛合部、または、ばね部材に頭髪を巻き込まないようにする後付け可能なヘアークリップ用カバーおよびヘアークリップを提供することを課題とする。
【００１２】
【課題を解決するための手段】
前記課題を解決すべく、請求項１に記載の発明は、頭髪を挟持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するばね部材とを備えるヘアークリップに用いられる弾性部材からなるヘアークリップ用カバーであって、前記連結片の前記挟持部側に隣接する環状部を有し、前記環状部は、前記連結片が互いに噛み合う部分にある噛合部を覆う介在部を備えることを特徴とする。
【００１３】
請求項１に記載のヘアークリップ用カバーによれば、ヘアークリップの挟持部が開閉すると、環状部および介在部もそれに伴って弾性伸縮して、連結片の噛合部を常に覆うことができ、頭髪の噛み込みを防止することができる。また、このヘアークリップ用カバーは単一のものとして別個に形成されているため、従来のヘアークリップに後付けすることができる。さらに、ヘアークリップ用カバーの環状部は、挟持部に頭髪を挟持するときに、挟持部の開閉動作を行うときに互い違いな方向にずれないようにガイドすると共に、その挟持部を閉口する方向に付勢させる。
【００１４】
請求項２に記載の発明は、頭髪を挟持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するばね部材とを備えるヘアークリップに用いられる弾性部材からなるヘアークリップ用カバーであって、前記連結片の前記挟持部側に隣接する環状部と、前記環状部に連続し、前記把持部に当接して設けられる当接部とを備えることを特徴とする。
【００１５】
請求項２に記載のヘアークリップ用カバーによれば、ヘアークリップで頭髪を挟む際には、ヘアークリップ用カバーの環状部が弾性伸縮して、常に連結片の挟持部側に隣接するため、頭髪の噛み込みを防止することができる。また、このヘアークリップ用カバーは単一のものとして別個に形成されているため、従来のヘアークリップに後付けすることができる。そして、その環状部が左右方向にずれることを防止することができる上、弱まったばね部材の力を補強することもできる。さらに、ヘアークリップ用カバーは、把持部に当接部が当接して配置されているため、手指との接触面積を大きくして摩擦力を上げることができる。
【００１６】
請求項３に記載の発明は、請求項２に記載のヘアークリップ用カバーにおいて、前記環状部は、前記連結片が互いに噛み合う部分にある噛合部を覆う介在部を備えることを特徴とする。
【００１７】
請求項３に記載のヘアークリップ用カバーによれば、ヘアークリップで頭髪を挟む際には、ヘアークリップ用カバーの環状部または介在部が弾性伸縮して、常に噛合部を覆うため、噛合部への頭髪の噛み込みを防止することができる。また、このヘアークリップ用カバーは単一のものとして別個に形成されているため、従来のヘアークリップに後付けすることができる。そして、ヘアークリップ用カバーは、把持部に当接部が当接して配置されているため、手指との接触面積を大きくして摩擦力を上げることができる。
【００１８】
請求項４に記載の発明は、ヘアークリップであって、頭髪を挟持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するばね部材と、前記連結片の前記挟持部側に隣接する弾性部材からなる環状部とを備えることを特徴とする。
【００１９】
請求項４に記載のヘアークリップによれば、両把持部に隣接して配置された弾性体の弾性部材が、ヘアークリップの狭持部の開閉に伴い環状部も弾性伸縮して、ヘアークリップの連結片の挟持部側に隣接して常に位置する。これにより、頭髪の噛み込みを防止できる。また、両狭持部が左右方向にずれることを防止することができる上、弱まったばね部材の力を補強することもできる。さらに、環状部は単一のものとして形成されているため、従来のヘアークリップに後付けして、このヘアークリップを作製することができる。
【００２０】
請求項５に記載の発明は、ヘアークリップであって、請求項１乃至請求項３のいずれか１項に記載のヘアークリップ用カバーが設けられたことを特徴とする。
【００２１】
請求項５に記載のヘアークリップによれば、両把持部に隣接して配置された弾性体のヘアークリップ用カバーが、ヘアークリップの連結片の挟持部側に隣接するため、頭髪の噛み込みを防止できる。また、このヘアークリップ用カバーは単一のものとして別個に形成されているため、従来のヘアークリップに後付けすることができる。さらに、両狭持部が左右方向にずれることを防止することができる上、弱まったばね部材の力を補強することもできる。その上、両把持部に当接部が被せられたヘアークリップ用カバーは、弾性体で形成されているため手指との接触面が大きくなり、ムース、スプレー、あるいはパーマ液等を使用した手指で扱う際にも滑り難くなる。
【００２２】
請求項６に記載の発明は、ヘアークリップであって、頭髪を狭持する挟持部の後端側に手指で把持する把持部を備え、前記把持部の側面に連結片をそれぞれ有する一対の挟持体と、この両挟持体を対面させ前記連結片が重なる位置で、その挟持部を開閉自在に支持する支持部と、この支持部を回動中心として前記挟持部が閉口する方向に付勢するねじりコイルばねと、前記挟持部を開口させたときに前記ねじりコイルばねの露出部分を少なくとも覆うカバー部とを備えることを特徴とする。
【００２３】
請求項６に記載のヘアークリップによれば、ヘアークリップの挟持部を開口させたときに、カバー部がねじりコイルばねの露出部分を覆っているため、頭髪を挟持する際、このねじりコイルばねのコイル部分に頭髪を巻き込むことがない。また、カバー部は単独に形成されるものであるため、カバー部を従来のヘアークリップに後付けをして、本発明に係るヘアークリップを作製することができる。
【００２４】
請求項７に記載の発明は、請求項６に記載のヘアークリップであって、前記カバー部は、シート状部材を屈曲させて形成され、前記シート状部材の屈曲させた部分で前記ねじりコイルばねの前記露出部分を覆うことを特徴とする。
【００２５】
請求項７に記載のヘアークリップによれば、そのカバー部がシート状部材を屈曲させて、その屈曲させた部分でねじりコイルばねの露出部分を覆うものである。そのため、頭髪をねじりコイルばねに巻き込むことがなく、また、組立時には、従来のヘアークリップの挟持部を開口させて、シート状部材をねじりコイルばねの露出部分を覆うように嵌め込むように後付けするだけでよいので、作製しやすい。
【００２６】
請求項８に記載の発明は、請求項６に記載の発明であって、前記カバー部は、前記ねじりコイルばねのコイル部分を覆う筒状部材から形成されることを特徴とする。
【００２７】
請求項８に記載のヘアークリップによれば、カバー部がねじりコイルばねのコイル部分を覆っていることから、頭髪をねじりコイルばねに巻き込むことがない。また、カバー部が筒状部材であることから、ねじりコイルばねを容易に嵌め込むことができる。そして、ヘアークリップを組み立てるときは、その状態で組み立てることができるため、組立てを容易に行うことができる。
【００２８】
【発明の実施の形態】
以下、添付図面を参照して、本発明に係る実施の形態について詳細に説明する。図１（ａ）は、本発明に係るヘアークリップ用カバーをヘアークリップに装着した状態の斜視図、（ｂ）はヘアークリップ用カバーを装着してヘアークリップを開口した状態の斜視図であり、図２は図１（ａ）のＹ方向矢視における背面図である。図３（ａ）はヘアークリップ用カバーを示す斜視図である。
【００２９】
まず、図１、図２を参照して、ヘアークリップ用カバーを装着するために用いるヘアークリップＣの構成について説明する。
ヘアークリップＣは、頭髪を狭持する狭持部２０ａ，２１ａと、この狭持部２０ａ，２１ａの後端側に手指で把持するための把持部２０ｂ，２１ｂと、この把持部２０ｂ，２１ｂの左右側面に連結片２０ｃ，２０ｃ，２１ｃ，２１ｃとをそれぞれ有する一対の狭持体２０，２１と、連結片２０ｃ，２１ｃ，２０ｃ，２１ｃに貫通して設けた支軸としての支持部２２と、この支持部２２を回動中心として狭持部２０ａ，２１ａを閉口する方向に付勢するねじりコイルばね２３とを備えており、狭持部２０ａ，２１ａが縦長方向に開く構成となっている。ここで、互いに噛み合う連結片２０ｃ，２１ｃの間に形成される空間部分を噛合部２４という。
【００３０】
なお、このヘアークリップＣは、支持部２２が、支軸を有する構成のものや、また、連結片２０ｃ，２１ｃ，２０ｃ，２１ｃに支軸を貫通することなく、隣接する連結片２０ｃ，２１ｃと、連結片２０ｃ，２１ｃとのそれぞれの位置で回動自在に支持する構成であってもよい。また、ヘアークリップＣのねじりコイルばね２３は、ばね部材に相当し、板ばねなどの構成であっても構わない。さらに、ヘアークリップＣの挟持部２０ａ、２１ａは、板状に形成される構成であることや、また、アルミニウム合金などの金属線をＵ字状に折り曲げて形成する構成であること等、特に限定されるものではない。
【００３１】
〔第１の実施の形態〕
図１（ａ）および図３（ａ）に示すように、ヘアークリップ用カバー１０Ａは、ヘアークリップＣに装着して用いられるものであり、環状部１１を有し、環状部１１には介在部１１ａを備えている。このヘアークリップ用カバー１０Ａは、ヘアークリップＣにあらかじめ設けられる構成とすることや、また、ヘアークリップＣに着脱自在に装着できる構成としても構わない。
【００３２】
ヘアークリップ用カバー１０Ａは、天然ゴム、合成ゴム、シリコーンゴム等の弾性部材により所定の肉厚に形成されている。そして、ヘアークリップ用カバー１０Ａに用いられる弾性部材は、挟持部２０ａ，２１ａをその弾性部材の弾性力に抗して開口でき、頭髪を留め付けることに支障のない弾性収縮力を備えていることが望ましい。
【００３３】
ヘアークリップ用カバー１０Ａの環状部１１は、挟持部２０ａ，２１ａに挿入できる開口を備えており、その内径の大きさは、挟持部２０ａ，２１ａの閉口状態で設置される把持部２０ｂ，２１ｂの外周と同等か、あるいは、外周よりも小さい内径寸法であると都合がよい。
【００３４】
そして、図３（ａ）に示すように環状部１１の連結片２０ｃ，２１ｃ側での奥行き寸法ｄは、挟持部２０ａ，２１ａを頭髪に差し込んで留め付ける時に、その頭髪に押されて頭髪が連結片２０ｃ，２１ｃの噛合部２４，２４に噛み込まれない状態を維持できれば細線状に小さくしても良いし、また、頭髪を留め付ける際に障害にならなければ特に限定されるものではなく、たとえば、環状部１１における連結片２０ｃ，２１ｃ側での奥行き寸法ｄが、把持部２０ｂ，２１ｂの後部側まで覆うように大きくしても構わない。
【００３５】
また、図３（ａ）に示すように、環状部１１に設けられる介在部１１ａは、狭持部２０ａ，２１ａのそれぞれに挿入させることができる開口を備えるように形成されれば、その厚さｗが限定されることはなく、狭持部２０ａ，２１ａを開口させたときに、連結片２０ｃ，２１ｃが正面から見て覆われる状態となる帯状に形成しても構わない。
【００３６】
つぎに、ヘアークリップ１０Ａを装着したヘアークリップＣの作用を説明する。
【００３７】
ヘアークリップＣは、使用者によって、把持部２０ｂ，２１ｂを手指で把持され、ねじりコイルばね２３の付勢力に抗するように支持部２２を回動中心として、挟持部２０ａ，２１ａを開口され、その開口した状態において、頭髪がその挟持部２０ａ，２１ａの間に挟み込まれる。
【００３８】
このとき、ヘアークリップ用カバー１０Ａが連結片２０ｃ，２１ｃの挟持部２０ａ，２１ａ側に隣接するように取り付けられているので、カバー１０Ａの環状部１１が連結片２０ｃ，２１ｃに頭髪が接触するのを防止し、ヘアークリップＣの連結片２０ｃ，２１ｃの噛合部２４，２４に頭髪が噛み込まれることを防止できる。そのため、ヘアークリップ用カバー１０Ａが取り付けられたヘアークリップＣを用いる際は、頭髪を環状部１１側に接触するまで差し込み、挟持部２０ａ，２１ａによって頭髪を挟持することができる。
【００３９】
また、介在部１１ａが形成されたヘアークリップ用カバー１０Ａの構成から、頭髪がねじりコイルばね２３に噛み込まれることを防止するという効果を確実なものとすることができる。
【００４０】
なお、ヘアークリップＣは、一定期間繰り返し使用しても、ヘアークリップ用カバー１０Ａの環状部１１が、弾性体の収縮する付勢力により、挟持部２０ａ，２１ａがねじりコイルばね２３の力により左右方向にずれることを防止するようガイドすることができる上、ねじりコイルばね２３の力が弱まった場合にも、両挟持部２０ａ，２１ａの頭髪を挟持する力を補強することもできる。
【００４１】
〔第２の実施の形態〕
つぎに、図３（ｂ）に示すように、ヘアークリップ用カバー１０Ｂの構成について説明する。なお、すでに説明した構成については、同じ符号を付して、説明を省略する。
【００４２】
図３（ｂ）に示すように、ヘアークリップ用カバー１０Ｂは、環状部１１と、環状部１１に連続して設けられる当接部１２とを備えている。ヘアークリップ用カバー１０ＢはヘアークリップＣに装着されて使用されるものであるが、ヘアークリップＣにあらかじめ設けられる構成とすることや、また、ヘアークリップＣに着脱自在に装着できる構成としても構わない。
【００４３】
ヘアークリップ用カバー１０Ｂの当接部１２は、ここでは、把持部２０ｂ，２１ｂと同様の面積になる大きさに形成されており、把持部２０ｂ，２１ｂの後部に係合できるように折り返した状態の係合部１３を備えている。この当接部１２は、把持部２０ｂ，２１ｂに当接する状態としては、接着剤を介して当接して接着させる構成とすることや、また、当接部１２を熱により溶着させる構成にすることや、あるいは、当接部１２を単に把持部２０ｂ，２１ｂに対して当接させる状態としても構わない。なお、当接部１２は、把持部２０ｂ，２１ｂに当接して接合できれば、係合部１３を特に設ける必要はない。
【００４４】
ヘアークリップ用カバー１０Ｂは、把持部２０ｂ，２１ｂに当接部１２を設ける構成にすることにより、ヘアークリップ用カバー１０Ｂが装着されたヘアークリップＣは、上述の効果のほか、さらに、使用者がムース、スプレー、あるいはパーマ液等の薬品を使用した手指で扱う場合にも、その当接部１２が弾性変形することで、手指との接触面積を大きくして摩擦力が大きくなり、滑り難くなる。
【００４５】
〔第３の実施の形態〕
つぎに、図３（ｃ）に示すように、ヘアークリップ用カバー１０Ｃの構成について説明する。なお、すでに説明した構成については、同じ符号を付して、説明を省略する。
【００４６】
図３（ｃ）に示すように、ヘアークリップ用カバー１０Ｃは、環状部１１と、環状部１１に備えられる介在部１１ａと、環状部１１に連続して設けられる当接部１２とを備えている。このヘアークリップ用カバー１０ＣはヘアークリップＣに装着されて使用されるものであるが、ヘアークリップＣにあらかじめ設けられる構成とすることや、また、ヘアークリップＣに着脱自在に装着できる構成としても構わない。
【００４７】
このような構成にすることにより、ヘアークリップ用カバー１０Ｃが装着されたヘアークリップＣは、上述のすべての効果を得ることができる。すなわち、環状部１１および介在部１１ａが弾性伸縮することにより、頭髪が連結片２０ｃ，２１ｃの噛合部２４，２４およびねじりコイルばね２３に噛み込まれることを確実に防止することができる。また、環状部１１の弾性体によって収縮する付勢力により、狭持部２０ａ，２１ａが左右方向にずれることを防止することができる上、ねじりコイルばね２３の力が弱まった場合にも、両狭持部２０ａ，２１ａの頭髪を狭持する力を補強することができる。さらに、使用者がムース、スプレー、あるいはパーマ液等の薬品を使用した手指で扱う場合にも把持部２０ｂ，２１ｂに、当接部１２が設けられていることから、その当接部１２が弾性変形することで、手指との接触面積を大きくして、摩擦力が大きくなることで、滑り難くなる。
【００４８】
〔第４の実施の形態〕
図４に示すように、ヘアークリップＣ１の構成について説明する。図４は、本発明の他の実施の形態に係るヘアークリップの斜視図であり、（ａ）は、本発明に係るヘアークリップを閉口した状態の斜視図、（ｂ）はヘアークリップを開口した状態の斜視図である。なお、すでに説明した構成要素については、同一の符号を付して、その説明を省略する。
【００４９】
図４（ａ），（ｂ）に示すように、ヘアークリップＣ１は、一対の狭持体２０，２１と、支持部２２と、ねじりコイルばね２３と、環状部１１とを備えている。
【００５０】
このように構成されることにより、ヘアークリップＣ１で頭髪を挟持する際には、環状部１１により、連結片２０ｃ，２１ｃに頭髪が接触することが防止され、ヘアークリップＣ１の連結片２０ｃ，２１ｃの噛合部２４，２４に頭髪が噛み込まれることを防止することができる。そのため、ヘアークリップＣ１は、頭髪を環状部１１側に接触するまで差し込み、挟持部２０ａ，２１ａにより頭髪を挟持することができる。
【００５１】
なお、本発明のヘアークリップカバーおよびヘアークリップは、前記実施の形態に限定されるものではなく、さまざまな形態で実施される。
たとえば、本実施形態の参照図面では、ヘアークリップ用カバー１０Ｂ，１０Ｃの当接部１２は、平坦に形成された状態で示しているが、把持部２０ｂ，２１ｂを覆う面の中央に凹部（図示せず）を設けたり、また、当接部１２に小さな凹部（図示せず）を適宜複数設けたり、凸部（図示せず）を設けたりして、手指で把持するときに滑り難くするようにしても構わない。その他、ヘアークリップ用カバー１０Ｂ，１０Ｃとして用いる弾性部材を表面状態が粗い（本来の把持部表面よりも）ものを使用することですべり止めの効果を向上させることが可能となる。
【００５２】
〔第５の実施の形態〕
以下、図５を参照しながら第５の実施の形態について説明する。図５（ａ）は第５の実施の形態に係るヘアークリップの分解斜視図であり、（ｂ）は第５の実施の形態に係るヘアークリップの斜視図である。なお、第５の実施の形態は、第１の実施の形態に係るヘアークリップの構成を一部変更したものであるので、同一の構成要素については同一の符号を付し、その説明を省略する。
【００５３】
図５に示すように、ヘアークリップＣ２は、頭髪を狭持する狭持部２０ａ，２１ａと、この狭持部２０ａ，２１ａの後端側に手指で把持するための把持部２０ｂ，２１ｂと、この把持部２０ｂ，２１ｂの左右側面に連結片２０ｃ，２０ｃ，２１ｃ，２１ｃとをそれぞれ有する一対の狭持体２０，２１と、連結片２０ｃ，２１ｃ，２０ｃ，２１ｃに貫通して設けた支軸としての支持部２２と、この支持部２２を回動中心として狭持部２０ａ，２１ａを閉口する方向に付勢するねじりコイルばね２３と、挟持体２０，２１の間でねじりコイルばね２３を挟持部２０ａ，２１ａ側から覆うカバー部２５を備えており、狭持部２０ａ，２１ａが縦長方向に開く構成となっている。
【００５４】
カバー部２５は、頭髪を狭持する際、ねじりコイルばね２３に頭髪を巻き込まないようにするために設けられるものである。カバー部２５は、長方形のプラスチック素材を断面視略Ｕ字状に屈曲させて形成されている。このカバー部２５は、挟持体２０，２１間でねじりコイルばね２３を覆うため、組み込む際は、カバー部２５以外の構成部品を組み立てた状態で、その挟持部２０ａ，２１ａを開口させ、挟持部２０ａ，２１ａ側からねじりコイルばね２３を覆うようにカバー部２５を嵌め込むようにする。もちろん、予めカバー部２５で覆った状態のねじりコイルばね２３を組み込むようにして組み立てるようにしてもよい。なお、本実施の形態では、カバー部２５の材料をプラスチックとしたが、特に限定されるものではなく、様々な材料を適用することができる。
【００５５】
このように構成されることにより、ヘアークリップＣ２で頭髪を挟持する際に、挟持部２０ａ，２１ａを開口させても、カバー部２５がねじりコイルばね２３を覆っているため、挟持部側から見てねじりコイルばね２３が剥き出さず、頭髪がねじりコイルばね２３に巻き込まれることを防止できる。そのため、頭髪を傷つけたり、あるいは、引き抜かれるといったことがなくなる。
【００５６】
なお、本発明は、前記した第５の実施の形態に係るカバー部２５を、以下のように変形して実施することもできる。
図６は、第５の実施の形態に係るカバー部の第１の変形例である。
図６に示すように、カバー部２６は、ねじりコイルばね２３を覆うための覆い部２６ａと、噛合部２４を覆うための覆い部２６ｂ，２６ｂとを有する。
カバー部２６は、長方形状にした覆い部２６ａと、その長手方向中央付近の両側に凸状に形成される覆い部２６ｂ，２６ｂを一体にして形成される。そして、カバー部２５同様に、覆い部２６ａを断面視略Ｕ字状に屈曲させて、ねじりコイルばね２３を覆い、その屈曲部分に位置する覆い部２６ｂ，２６ｂで噛合部２４，２４を覆うようにして、カバー部２６は、ねじりコイルばね２３に取り付けられる。
【００５７】
このように構成されることによりこのカバー部２６を組み込んだヘアークリップでは、挟持部２０ａ，２１ａを開口させると、覆い部２６ａがねじりコイルばね２３を覆っているため露出せず、また、覆い部２６ｂ，２６ｂがちょうど噛合部２４，２４（図１（ｂ）参照）を覆うことができる。
そのため、このカバー部２６を組み込んだヘアークリップで頭髪を狭持する際には、ねじりコイルばね２３、および、噛合部２４に頭髪を巻き込まれることを防止でき、頭髪が傷ついたり、引き抜かれるといったことを防止できる。
【００５８】
また、前記した第５の実施の形態に係るカバー部２５を、以下のように変形することもできる。
図７は、第５の実施の形態に係るカバー部の第２の変形例である。
図７に示すように、カバー部２７は、シリコーンゴムなどからなる筒状部材を、ねじりコイルばね２３のコイル部分を挿通できる大きさにして形成されている。このような筒状部材からなるカバー部２７を用いて、ヘアークリップを組み立てる際は、このカバー部２７にねじりコイルばね２３を挿通させ、その状態で挟持体２０，２１間に組み込むことができる。
【００５９】
このようにすることで、このカバー部２７を組み込んだヘアークリップで頭髪を狭持する際には、ねじりコイルばね２３のコイル部分をカバー部２７が覆っていることから、頭髪をねじりコイルばね２３に巻き込まれることを防止でき、頭髪が傷ついたり、引き抜かれるといったことを防止できる。また、ヘアークリップを組み立てる際は、予め、カバー部２７に挟み込まれたねじりコイルばね２３を組み込んで組み立てることができ、カバー部２７以外を先に組み立てた後にカバー部を組み込むよりも、カバー部２７を容易に組み込むことができる。
なお、このカバー部２７には、筒状部材の長手方向に連続した切込みを設けてもよい。こうすることで、その切り込み部分を開口させ、ねじりコイルばね２３に簡易に取り付けられるようになる。また、図６で示す覆い部２６ｂ，２６ｂと同様の部分を設け、噛合部２４を覆う部分を形成してもよい。
【００６０】
以上、本発明の好適な実施の形態の例を説明したが、本発明は前記した実施の形態に限定されず、本発明の趣旨を逸脱しない範囲で適宜設計変更が可能である。
たとえば、前記した実施の形態で、カバー部２５を単なる長方形状に形成したが、本発明はこれに限定されず、カバー部２５をやや幅広に形成し、長手方向中央付近に切込みを入れて構成することもできる。この場合、挟持体２０，２１間に挟み込む際、連結片２０ｂ、２１ｂ付近に切込み部分を噛ませることで、噛合部２４を覆うようにできる。
【００６１】
【発明の効果】
本発明によれば、以下に示す優れた効果を奏することができる。
請求項１に記載の発明によれば、ヘアークリップ用カバーが噛合部を常に覆うため、頭髪の噛み込みを防止することができる。また、このヘアークリップ用カバーは単一のものとして別個に形成されているため、従来のヘアークリップに後付けすることができる。さらに、ヘアークリップ用カバーの環状部は、挟持部に頭髪を挟持するときに、挟持部の開閉動作を行うときに互い違いな方向にずれないようにガイドすると共に、その挟持部を閉口する方向に付勢させる。
【００６２】
請求項２に記載によれば、ヘアークリップ用カバーが、常に連結片の挟持部側に隣接するため、頭髪の噛み込みを防止することができる。また、このヘアークリップ用カバーは単一のものとして別個に形成されているため、従来のヘアークリップに後付けすることができる。そして、その環状部が左右方向にずれることを防止することができる上、弱まったばね部材の力を補強することもできる。さらに、ヘアークリップ用カバーは、把持部に当接部が当接して配置されているため、手指との接触面積を大きくして摩擦力を上げることができる。
【００６３】
請求項３に記載によれば、ヘアークリップ用カバーの環状部または介在部が、常に噛合部を覆うため、噛合部への頭髪の噛み込みを防止できる。また、このヘアークリップ用カバーは単一のものとして別個に形成されているため、従来のヘアークリップに後付けすることができる。そして、ヘアークリップ用カバーは、把持部に当接部が当接して配置されているため、手指との接触面積を大きくして摩擦力を上げることができる。
【００６４】
請求項４に記載の発明によれば、両把持部に隣接して配置された弾性体の環状部が、連結片の挟持部側に隣接しているため、噛合部への頭髪の噛み込みを防止できる。また、両狭持部が左右方向にずれることを防止することができる上、弱まったばね部材の力を補強することもできる。さらに、弾性部材は単一のものとして形成されているため、従来のヘアークリップに後付けして、このヘアークリップを作製することができる。
【００６５】
請求項５に記載の発明によれば、両把持部に隣接して配置された弾性体のヘアークリップ用カバーが、ヘアークリップの連結片の噛み合う位置をガイドすることにより、噛合部への頭髪の噛み込みを防止できる。また、このヘアークリップ用カバーは単一のものとして別個に形成されているため、従来のヘアークリップに後付けすることができる。さらに、両狭持部が左右方向にずれることを防止することができる上、弱まったばね部材の力を補強することもできる。その上、両把持部に当接部が被せられたヘアークリップ用カバーは、弾性体で形成されているため手指との接触面が大きくなり、ムース、スプレー、あるいはパーマ液等を使用した手指で扱う際にも滑り難くなる。
【００６６】
請求項６に記載のヘアークリップによれば、頭髪を挟持する際、このねじりコイルばねのコイル部分に頭髪を巻き込むことがない。また、カバー部は単独に形成されるものであるため、カバー部を従来のヘアークリップに後付けをして、本発明に係るヘアークリップを作製することができる。
【００６７】
請求項７に記載のヘアークリップによれば、頭髪をねじりコイルばねに巻き込むことがなく、また、組立時には、従来のヘアークリップの挟持部を開口させて、シート状部材をねじりコイルばねの露出部分を覆うように嵌め込むように後付けするだけでよいので、作製しやすい。
【００６８】
請求項８に記載のヘアークリップによれば、カバー部がねじりコイルばねのコイル部分を覆っていることから、頭髪をねじりコイルばねに巻き込むことがない。また、カバー部が筒状部材であることから、ねじりコイルばねを容易に嵌め込むことができる。そして、ヘアークリップを組み立てるときは、その状態で組み立てることができるため、組立てを容易に行うことができる。
【図面の簡単な説明】
【図１】（ａ）は、本発明にかかるヘアークリップ用カバーをヘアークリップに装着した状態の斜視図、（ｂ）はヘアークリップ用カバーを装着してヘアークリップを開口した状態の斜視図である。
【図２】本発明に係るヘアークリップであって図１（ａ）のＹ方向矢視における背面図である。
【図３】（ａ）はヘアークリップ用カバーを示す斜視図、（ｂ），（ｃ），は第２、第３の実施の形態の構成におけるヘアークリップ用カバーを示す斜視図である。
【図４】本発明の第４の実施の形態にかかるヘアークリップの斜視図である。（ａ）は、本発明にかかるヘアークリップを閉口した状態の斜視図、（ｂ）はヘアークリップを開口した状態の斜視図である。
【図５】（ａ）は、第５の実施の形態に係るヘアークリップの分解斜視図であり、（ｂ）は、第５の実施の形態に係るヘアークリップの斜視図である。
【図６】第５の実施の形態に係るカバー部の第１の変形例である。
【図７】第５の実施の形態に係るカバー部の第２の変形例である。
【図８】（ａ）、（ｂ）、（ｃ）は、従来のヘアークリップを示す斜視図、背面図、挟持部を開口させた状態の斜視図である。
【図９】従来のヘアークリップを示す斜視図である。
【符号の説明】
Ｃ，Ｃ１，Ｃ２　ヘアークリップ
１０Ａ，１０Ｂ，１０Ｃ　ヘアークリップ用カバー
１１　　　環状部
１１ａ　　介在部
１２　　　当接部
２０（２１）　　　一方の（他方の）挟持体
２０ａ（２１ａ）　一方の（他方の）挟持部
２０ｂ（２１ｂ）　一方の（他方の）把持部
２０ｃ（２１ｃ）　一方の（他方の）連結片
２２　　　支持部
２３　　　ねじりコイルばね
２４　　　噛合部
２５，２６，２７　カバー部
【図１】
2004000470.tif 000003
【図２】
2004000470.tif 000004
【図３】
2004000470.tif 000005
【図４】
2004000470.tif 000006
【図５】
2004000470.tif 000007
【図６】
2004000470.tif 000008
【図７】
2004000470.tif 000009
【図８】
2004000470.tif 000010
【図９】
2004000470.tif 000011